(57)【要約】【目的】  この風車は、固定整流板と可動整流板で風の流れを一定の方向に導き、可動整流板で風の量を調節し、風車と台に取りつけた磁石で、風車が回転する時の摩擦損失を少なくして、風車にフライホイールの性能を持たせたものである。【構成】  台９に固定整流板１と可動整流板２を同心円状に配置して、その中心に風車３を配置する、風車３と台９に磁石を取りつける。【選択図】  図３
2005201229.tif 000002
【特許請求の範囲】
【請求項１】
固定整流板と可動整流板を同心円状に配置して風の流れを一定の方向へ導くようにした整流式風車。
【請求項２】
可動整流板で風の量が調節できるようにした整流式風車。
【請求項３】
風車本体の下部と、風車を配置する台の双方へ回転軸を中心に円状に、さらに双方が反発するように磁石を取りつけ、磁石軸受として摩擦損失を少なくすると共に、フライホイールとしての性能を持たせた整流式風車。
【請求項４】
固定整流板を様々な形状にして、見た目の楽しさ、あるいは宣伝効果が得られるようにした整流式風車。
【発明の詳細な説明】
【発明の詳細な説明】
この発明は、固定整流板と可動整流板を同心円状に配置して風の流れを一定の方向へ導き、その内側の可動整流板において風の量が調節できるようにした風車である。
そして、風車本体の下部と風車を配置する台の双方へ、回転軸を中心に円状に反発するように磁石を取りつけて磁石軸受とし、双方の磁石の反発力を利用して回転時の摩擦損失を少なくすると共に、風車本体の下部へ取りつけた磁石にフライホイールの性能を持たせるようにした風車である。
さらに、固定している整流板を様々な形状にして、見た目の楽しさや、あるいは看板としての宣伝効果が得られるようにした風車の関するものである。
構  造
固定整流板１を台９に、図２のように円状に固定する。
可動整流板２を固定整流板１の内側に、図２のように円状に設定し、動く状態にする。
風車３を可動整流板２の内側に、図２のように設定する。
磁石軸受５を風車３の下部へ、回転軸４を中心とした円状に固定する。
磁石軸受６を台９に、磁石軸受５と同じ位置になるよう円状に固定する。
磁石軸受５と磁石軸受６は、反発する状態に取りつける。
風車３の重量は、磁石軸受５、磁石軸受６の反発力で支える。
風車３の回転のブレは、軸受７、軸受８で支える。
図５は風が圧縮されるような構造にしたものである。
図６は固定整流板の強度を増大させる為に、横方向にも板を取りつけた構造のものである。
図７〜図１１は固定整流板の正面からみた断面の形状を表したものである。
（果物形、どんぶり形、ひょうたん形、ビン形、ワイングラス形）等々。
図１２〜図２１は固定整流板を上部よりみた形状を表したものである。
（三角形、四角形、六角形、長方形、楕円形、菱形、星形、花形）等々。
特  長
構造が非常に簡単なので、小型のものから大型のものまで利用できる。
固定整流板と可動整流板によって、あらゆる方向からの風を常に一定の方向に導くことができる。
固定整流板と可動整流板によって、この風車全体に受けるすべての風を回転力に変換することができる。
可動整流板によって風の吹き出し部分が細くなり、ノズルの効果が発生する。
可動整流板を動かすことによって、風の量を調節することができる。
風車の風を受ける部分の数を増やせば回転力は増大する。
風車と台に取りつけた磁石軸受の反発力によって、風車が回転する時に生じる摩擦損失を軽減させると共に、風車に取りつけた磁石軸受にフライホイールとしての性能を持たせることができる。
固定整流板によって風を受ける面積が大きくなる。
固定整流板によって全体の強度が増大する。
固定整流板の一部を避雷針やテレビ用アンテナの支柱等として利用できる。
固定整流板によって風車が覆われているので、強風などで物体が飛んできてぶつかっても、風車に直接損害を与えることがない。
固定整流板によって風車が覆われているので、風車の回転による外部への危険性は少ない。
危険性が少ないので、いろいろな場所で利用することができる、例えば住宅、病院、学校、ビル及び工場の屋根、高速道路の少し広い中央分離帯、街角などでたなびいている宣伝用の旗の代わり、なお強度が許せば鉄塔の内部、等々。
図７〜図２１の如く固定整流板の形と配置を工夫すれば、多種多様な形状のものを表現することが可能であり、オフィスビル、ホテル、デパート、スーパー、ガソリンスタンド等の屋上や、街中の看板として利用でき宣伝効果が得られる、さらに公園、遊園地、道の駅、動物園、博物館等のモニュメントとして利用すれば、その形状を楽しめると共に、ＣＯ２の削減にも貢献することになる。
【図面の簡単な説明】
【図１】  整流式風車の正面図。
【図２】  整流式風車の平面図。
【図３】  整流式風車のＡ−Ａ断面図。
【図４】  整流式風車のＢ−Ｂ断面図。
【図５】  風が圧縮されるような構造にした場合の断面図。
【図６】  固定整流板に横にも板を取りつけた場合の正面図。
【図７】  固定整流板を正面からみた断面の形状を表す略図。
【図８】  固定整流板を正面からみた断面の形状を表す略図。
【図９】  固定整流板を正面からみた断面の形状を表す略図。
【図１０】  固定整流板を正面からみた断面の形状を表す略図。
【図１１】  固定整流板を正面からみた断面の形状を表す略図。
【図１２】  固定整流板を上部からみた形状を表す略図。
【図１３】  固定整流板を上部からみた形状を表す略図。
【図１４】  固定整流板を上部からみた形状を表す略図。
【図１５】  固定整流板を上部からみた形状を表す略図。
【図１６】  固定整流板を上部からみた形状を表す略図。
【図１７】  固定整流板を上部からみた形状を表す略図。
【図１８】  固定整流板を上部からみた形状を表す略図。
【図１９】  固定整流板を上部からみた形状を表す略図。
【図２０】  固定整流板を上部からみた形状を表す略図。
【図２１】  固定整流板を上部からみた形状を表す略図。
【符号の説明】
１は固定整流板、２は可動整流板、３は風車、４は回転軸
５は磁石軸受、６は磁石軸受、７は軸受、８は軸受、９は台
【図１】
2005201229.tif 000003
【図２】
2005201229.tif 000004
【図３】
2005201229.tif 000005
【図４】
2005201229.tif 000006
【図５】
2005201229.tif 000007
【図６】
2005201229.tif 000008
【図７】
2005201229.tif 000009
【図８】
2005201229.tif 000010
【図９】
2005201229.tif 000011
【図１０】
2005201229.tif 000012
【図１１】
2005201229.tif 000013
【図１２】
2005201229.tif 000014
【図１３】
2005201229.tif 000015
【図１４】
2005201229.tif 000016
【図１５】
2005201229.tif 000017
【図１６】
2005201229.tif 000018
【図１７】
2005201229.tif 000019
【図１８】
2005201229.tif 000020
【図１９】
2005201229.tif 000021
【図２０】
2005201229.tif 000022
【図２１】
2005201229.tif 000023